(57)【要約】【課題】  地上デジタル放送や衛星デジタル放送などでも、自分が再生したい時刻に自分の好みの音楽や映像を再生することができ、モーニングコールなどに利用することができることが望まれる。本発明は、自分の好みの音楽や映像を、電子番組表を利用して、自分が再生したい時刻に再生することができる予約再生方法を提供する。【解決手段】  チューナ１０〜１２、デジタル放送デコーダ１４、ＩＰ変換／ＲＧＢプロセッサ１６、表示装置１７、記憶装置１８、記憶部１５、リモコン受信部１９、及びマイコン２０を備えたテレビジョン受像装置２において、アンテナ１から電子番組表データを含む放送電波を受信し、受信された電子番組表データを記憶部１５に記憶し、記憶された電子番組表データを基に番組を予約し、予約された前記番組の開始時に、該番組に代えてメモリカード１８−１やＨＤＤ１８−２などの記録装置１８に記録されたデータから音声を再生する。【選択図】図１
2006246371.tif 000002
【特許請求の範囲】
【請求項１】
放送電波を受信し放送番組の映像と音声を再生する映像受信装置において、
受信された電子番組表データを記憶する記憶手段と、
記憶された前記電子番組表データにより番組を予約する予約手段と、
予約された前記番組の開始時に、該番組に代えて記録装置に記録されたデータから音声を再生する手段を備えたことを特徴とする映像受信装置。
【請求項２】
前記記録装置は前記映像受信装置に内蔵された記憶装置であることを特徴とする請求項１に記載の映像受信装置。
【請求項３】
前記記憶装置はＨＤＤであることを特徴とする請求項２に記載の映像受信装置。
【請求項４】
前記記憶装置は半導体メモリカードであることを特徴とする請求項２に記載の映像受信装置。
【請求項５】
放送電波を受信し放送番組の映像と音声を再生する映像受信装置において、
受信された電子番組表データを記憶する記憶手段と、
記憶された前記電子番組表データにより番組を予約する予約手段と、
予約された前記番組の予約時点の開始時刻を記憶する記憶手段と、
前記予約時点の開始時刻になったら、前記予約番組に代えて記録装置に記録されたデータから音声を再生する手段を備えたことを特徴とする映像受信装置。
【請求項６】
前記記録装置は前記映像受信装置に内蔵された記憶装置であることを特徴とする請求項５に記載の映像受信装置。
【請求項７】
前記記憶装置はＨＤＤであることを特徴とする請求項６に記載の映像受信装置。
【請求項８】
前記記憶装置は半導体メモリカードであることを特徴とする請求項６に記載の映像受信装置。
【請求項９】
放送電波から受信した電子番組表データを利用して予約再生する予約再生方法において、
受信された電子番組表データにより番組を予約し、
予約された前記番組の開始時に、該番組に代えて記録装置に記録されたデータから音声を再生することを特徴とする電子番組表を利用した予約再生方法。
【請求項１０】
放送電波から受信した電子番組表データを利用して予約再生する予約再生方法において、
受信された電子番組表データにより番組を予約し、
予約された前記番組の予約時点の開始時刻を記憶し、
前記予約時点の開始時刻になったら、前記予約番組に代えて記録装置に記録されたデータから音声を再生することを特徴とする電子番組表を利用した予約再生方法。
【発明の詳細な説明】
【技術分野】
【０００１】
本発明は映像受信装置、及び予約再生方法に係り、特に電子番組表を利用して好みのモーニングコール用音声（音声には音響含む）や映像を再生するのに好適な映像受信装置、及びテレビ放送の電子番組表を利用した予約再生方法に関する。
【背景技術】
【０００２】
従来の地上アナログテレビなどの映像装置において、記録媒体に収納された内容を、予め設定された時刻に電源をオンして予めタイマー予約した音声や映像を再生するようにした受信装置がある（例えば登録実用新案公報第３０９７５６４号参）。このような装置は例えば自分の好みの音楽や映像をモーニングコール用として再生することができるので大変便利なものである。最近普及しつつある地上デジタル放送や衛星デジタル放送などでは、電子番組表（ＥＰＧ）を利用して、所望の番組を予め選択、予約して、予定時刻になると予約された番組を再生、あるいは録画することができるようになっている。
【０００３】
しかしながら、地上波デジタル放送用、ＢＳデジタル放送用、ＣＳデジタル放送などでは自分の好みの音楽や映像を、自分が再生したい時刻に再生することができるタイマー予約機能がない。現在のオンタイマーで設定できるチャンネルは、地上波アナログ放送と外部入力機器によるものだけである。そのため、モーニングコールのように自分好みの音声や映像でオンタイマーが働くようにするには、外部入力に設定し、また、ビデオコントロールなどを使い、外部機器も同時刻に働くようにしなければならない。
【特許文献１】登録実用新案公報第３０９７５６４号
【発明の開示】
【発明が解決しようとする課題】
【０００４】
そこで、地上デジタル放送や衛星デジタル放送などでも、自分が再生したい時刻に自分の好みの音楽や映像を再生することができ、モーニングコールなどに利用することができることが望まれる。しかし、簡単にこのような再生予約は困難であった。
【０００５】
本発明の目的は、上記従来技術の問題に鑑み、自分の好みの音楽や映像を、自分が再生したい時刻に再生することができる、電子番組表（以下ＥＰＧという）を利用したモーニングコールシステムを提供することにある。
【課題を解決するための手段】
【０００６】
本発明の請求項１に係る発明の要旨は、放送電波を受信し放送番組の映像と音声を再生する映像受信装置において、受信された電子番組表データを記憶する記憶手段と、記憶された前記電子番組表データにより番組を予約する予約手段と、予約された前記番組の開始時に、該番組に代えて記録装置に記録されたデータから音声を再生する手段を備えたことを特徴とする映像受信装置に存する。
また、本発明の請求項２に係る発明の要旨は、前記記録装置は前記映像受信装置に内蔵された記憶装置であることを特徴とする請求項１に記載の映像受信装置に存する。
また、本発明の請求項３に係る発明の要旨は、前記記憶装置はＨＤＤであることを特徴とする請求項２に記載の映像受信装に存する。
また、本発明の請求項４に係る発明の要旨は、前記記憶装置は半導体メモリカードであることを特徴とする請求項２に記載の映像受信装置に存する。
また、本発明の請求項５に係る発明の要旨は、放送電波を受信し放送番組の映像と音声を再生する映像受信装置において、受信された電子番組表データを記憶する記憶手段と、記憶された前記電子番組表データにより番組を予約する予約手段と、予約された前記番組の予約時点の開始時刻を記憶する記憶手段と、前記予約時点の開始時刻になったら、前記予約番組に代えて記録装置に記録されたデータから音声を再生する手段を備えたことを特徴とする映像受信装置に存する。
また、本発明の請求項６に係る発明の要旨は、前記記録装置は前記映像受信装置に内蔵された記憶装置であることを特徴とする請求項５に記載の映像受信装置に存する。
また、本発明の請求項７に係る発明の要旨は、前記記憶装置はＨＤＤであることを特徴とする請求項６に記載の映像受信装置に存する。
また、本発明の請求項８に係る発明の要旨は、前記記憶装置は半導体メモリカードであることを特徴とする請求項６に記載の映像受信装置に存する。
また、本発明の請求項９に係る発明の要旨は、放送電波から受信した電子番組表データを利用して予約再生する予約再生方法において、受信された電子番組表データにより番組を予約し、予約された前記番組の開始時に、該番組に代えて記録装置に記録されたデータから音声を再生することを特徴とする電子番組表を利用した予約再生方法に存する。
また、本発明の請求項１０に係る発明の要旨は、放送電波から受信した電子番組表データを利用して予約再生する予約再生方法において、受信された電子番組表データにより番組を予約し、予約された前記番組の予約時点の開始時刻を記憶し、前記予約時点の開始時刻になったら、前記予約番組に代えて記録装置に記録されたデータから音声を再生することを特徴とする電子番組表を利用した予約再生方法に存する。
【発明の効果】
【０００７】
本発明によれば、自分の好みの音楽や映像をＥＰＧを利用して、簡単に、自分が再生したい時刻に、再生することができる。
【発明を実施するための最良の形態】
【０００８】
（第１の実施の形態）
本発明による第１の実施の形態を図１乃至図３を参照して説明する。
図１は本発明の具体的な第１の実施の形態における映像装置の構成図である。
図１において、１は放送電波を受信するアンテナ、２は映像装置であるテレビジョン受像装置、３はテレビジョン受像装置２を遠隔操作するリモートコントローラ（以下リモコンという）である。４は、ＤＶＤ、ビデオ装置などの外部機器である。なお、地上波デジタル放送、ＢＳデジタル放送、ＣＳデジタル放送で異なるアンテナを必要とする場合も、アンテナ１として簡易に図示してある。
【０００９】
更にテレビジョン受像装置２の構成を説明すると、１０から１２はチューナーであり所望のチャンネルを選局してその信号を出力する。１０は地上波デジタル放送用チューナー、１１はＢＳデジタル放送用チューナー、１２はＣＳデジタル放送用チューナーである。
【００１０】
地上波デジタル放送用チューナー１０、ＢＳデジタル放送用チューナー１１、ＣＳデジタル放送用チューナー１２、及び外部機器４から出力された信号は切り替えスイッチ１３に入力される。替えスイッチ１３は地上波デジタル放送用チューナー１０の出力信号、ＢＳデジタル放送用チューナー１１の出力信号、ＣＳデジタル放送用チューナー１２の出力信号、外部機器４からの出力信号のいずれかを選択するために設けられている。
【００１１】
切り替えスイッチ１３から出力されたデジタル映像信号はデジタル放送デコーダー１４に入力される。デジタル放送デコーダー１４にはＥＰＧデコーダーなどで構成されている。デジタル放送デコーダー１４は放送局から送られてきたＥＰＧのデータを抽出し、デコードする。マイコン２０はデジタル放送デコーダー１４でデコードされたＥＰＧのデータを記憶部１５に記憶する。記憶部１５には、上記ＥＰＧデータの他に、予約番組情報や本第１の実施の形態の動作プログラムなどが記憶されている。
【００１２】
デジタル放送デコーダー１４から出力されたデジタル映像信号は、ＩＰ変換／ＲＧＢプロセッサ１６に入力される。ＩＰ変換／ＲＧＢプロセッサ１６はインターレスとプログレッシブの変換やＲ、Ｇ、Ｂ信号を生成するプロセッサである。ＩＰ変換／ＲＧＢプロセッサ１６から出力されたデジタル映像信号は液晶表示装置などの表示装置１７に入力され画像表示される。
【００１３】
音声や映像を記録する記録装置として、テレビジョン受像装置２に内蔵された記憶装置１８を備えている。記憶装置１８は半導体メモリ装置（メモリカードなど）１８−１、ハードディスクドライブ（以下ＨＤＤという）１８−２などで構成される。記憶装置１８には映像データや音声データが記憶されており、ＥＰＧによる予約によって予約された番組の開始に合わせてユーザの好みの映像データや音声データが再生される。
【００１４】
１９はリモコン受信部であり、リモコン３からの赤外線による操作信号を受信する。テレビジョン受像装置２はリモコン受信部１９で受信したリモコン３の操作信号をテレビジョン受像装置２全体を制御するマイクロコンピュータ（以下マイコンという）２０に送り、この信号を受け取ったマイコン２０は、チャンネル切り替えや、番組予約などを実行する。
【００１５】
図２はリモコン３を拡大して示したもので、リモコン３には、操作ボタン３０１〜３１３などが配置されている。操作ボタン３０１は電源ＯＮ／ＯＦＦ用ボタンである。操作ボタン３０３は地上波デジタル放送を選択するボタンである。操作ボタン３０４はＢＳデジタル放送を選択するボタンである。操作ボタン３０５は１１０度ＣＳデジタル放送を選択するボタンである。操作ボタン３０６はＥＰＧデータを使った番組表を表示するボタンである。操作ボタン３０７は選局されている放送に対する裏番組の番組表をＥＰＧデータを使って表示するボタンである。操作ボタン３０６は選択された番組の詳細情報を表示させるボタンである。操作ボタン３０９〜３１２は表示装置１７に表示された番組表やメニューにおける選択項目を矢印方向に移動させるボタンである。操作ボタン３１３は、表示装置１７に表示された番組表やメニューにおける選択項目を決定するボタンである。
【００１６】
次に図３を参照して第１の実施の形態の動作フローを説明する。
本第１の実施の形態による予約操作を開始するに当たり、テレビジョン受像装置２は前もって放送局よりＥＰＧデータを受信してデジタル放送デコーダー１４によりデコードし、記憶部１５に記憶してあるものとする。以下では予約番組開始時にモーニングコールとして音声や映像を再生する例をとって説明する。
【００１７】
まず、予約を開始するに当たり、ステップＳ１において、リモコン３の操作ボタン３０６を操作して、記憶部１５からＥＰＧデータを呼び出し表示装置１７にＥＰＧを表示する。
【００１８】
ステップＳ２において、リモコン３の操作ボタン３０９〜３１２を操作することにより、ユーザが起きたい時刻に始まる番組を選択し、操作ボタン３１３を押下して決定する。
【００１９】
ステップＳ２で番組が選択されると、ステップＳ３において、表示装置１７に予約画面が表示される。この予約画面には、視聴予約を選択する項目として「視聴」、録画予約を選択する項目として「録画」、予約しない場合を選択する項目として「予約しない」が表示される。
【００２０】
ステップＳ３において、リモコン３の操作ボタン３０９〜３１３を操作して、「録画」を選択し、録画予約することを決定するとステップＳ４に進む。ステップＳ４において、予約番組開始時に通常の予約録画をし、録画が終了するとステップＳ１０に進み終了となる。
【００２１】
ステップＳ３において、リモコン３の操作ボタン３０９〜３１３を操作して「予約しない」を選択して、予約をしないことを決定した場合には、ステップＳ１０に進み終了する。
【００２２】
ステップＳ３において、リモコン３の操作ボタン３０９〜３１３を操作して「視聴」を選択し、目的の番組を視聴予約することを決定すると、ステップＳ５に進む。ステップＳ５では再生内容の選択をする切替画面が表示される。これは予約した放送番組を再生するのか、ユーザの好みの映像や音声を再生するのかの選択画面である。例えば「再生する内容を選んでください」という表示とともに「予約番組放送」「お好み再生」などの選択ボタンが表示される。
【００２３】
ステップＳ５において、もし「予約番組再生」を選択した場合には、ステップＳ６に進み、予約番組開始時に予約した放送番組が放送される。
【００２４】
ステップＳ５において、もし「お好み再生」を選択した場合には、ステップＳ７に進む。この場合、記憶装置１８に記憶された映像データなどを再生することになる。この場合、記憶装置１８として半導体メモリ１８−１、ＨＤＤ１８−２の複数の記憶装置を有しているとすると、どちらの記憶装置から再生するかの選択画面が表示される。例えば「再生する記憶装置を選んでください」という表示とともに「カード」「ＨＤＤ」などの選択キーが表示される。「カード」を選択すると半導体メモリ１８−１であるメモリカードによる記憶装置が選択され、「ＨＤＤ」を選択するとＨＤＤ１８−２が選択される。勿論、記憶装置１８として１種類の記憶装置で構成されている場合にはこのステップＳ７の工程はない。
【００２５】
上記ステップＳ３、Ｓ５、Ｓ７において選択された予約情報は記憶部１５に記憶される。
【００２６】
なお本実施の形態では半導体メモリ１８−１として着脱自在のメモリーカードを利用したものとなっている。着脱自在のメモリーカードは、着脱装置がテレビジョン受像装置２に備わっており、この着脱装置にメモリーカードを抜き差しするようになっている（このような構成のものも本発明では内蔵されているということにする）。したがって、テレビジョン受像装置２を使ってこのメモリーカードに番組などを録画することもできるが、取り外してテレビジョン受像装置２以外の録画装置でデータを記録することができるようになっている。このようにメモリーカードは、別の録画装置でユーザのお好みの映像なり音声なりが記録されてテレビジョン受像装置２セットされ、モーニングコールのお好み映像や音声として利用できるものである。
【００２７】
ステップＳ７において、もし「カード」を選択した場合にはステップ８に進み、予約番組開始時になるとメモリーカード（半導体メモリ１８−１）に記憶された映像データや音声データが再生され、終了する（ステップＳ１０）。
【００２８】
ステップＳ７において、もし「ＨＤＤ」を選択した場合にはステップ９に進み、予約番組開始時になるとＨＤＤ１８−２に記憶された映像データや音声データが再生され、終了する（ステップＳ９）。
【００２９】
以上のように、本実施の形態によれば、ＥＰＧデータを使って簡単にモーニングコールを設定することができる。なお、本実施の形態はモーニングコールに限らず、所定の時刻にお好みの映像なり音声を再生開始する場合にＥＰＧデータを使って簡単に設定することができる。
【００３０】
（第２の実施の形態）
本発明による第１の実施の形態を図２、図４、図５を参照して説明する。
図４は本発明の具体的な第２の実施の形態における映像装置の構成図である。
図４において、１は放送電波を受信するアンテナ、３０は映像装置であるテレビジョン受像装置、３はテレビジョン受像装置２を遠隔操作するリモコンである。４は、ＤＶＤ、ビデオ装置などの外部機器である。なお、地上波デジタル放送、ＢＳデジタル放送、ＣＳデジタル放送で異なるアンテナを必要とする場合も、アンテナ１として簡易に図示してある。
【００３１】
更にテレビジョン受像装置３０の構成は第１の実施の形態と比べると、時計機能部３１を備えている点が異なり、また、記憶部３２には、ＥＰＧデータや予約番組情報の他に、予約時点での予約番組開始時刻のデータや本第２の実施の形態の動作プログラムなどが記憶されている点が異なる。図１と同じ符号のものは第１の実施の形態で説明したものと同じものを示している。
【００３２】
次に図５を参照して第２の実施の形態の動作フローを説明する。
本第２の実施の形態による予約操作を開始するに当たり、テレビジョン受像装置３０は前もって放送局よりＥＰＧデータを受信してデジタル放送デコーダー１４によりデコードし、記憶部３２に記憶してあるものとする。以下では予約された番組の開始時刻を時計機能部３１から取得し、取得された予定時刻になったらモーニングコールとして音声や映像を再生する例をとって説明する。
【００３３】
まず、予約を開始するに当たり、ステップＳ２１において、リモコン３の操作ボタン３０６を操作して、記憶部３２からＥＰＧデータを呼び出し表示装置１７にＥＰＧを表示する。
【００３４】
ステップＳ２２において、リモコン３の操作ボタン３０９〜３１２を操作することにより、ユーザが起きたい時刻に始まる番組を選択し、操作ボタン３１３を押下して決定する。
【００３５】
ステップＳ２２で番組が選択されると、ステップＳ２３において、表示装置１７に予約画面が表示される。この予約画面には、視聴予約を選択する項目として「視聴」、録画予約を選択する項目として「録画」、予約しない場合を選択する項目として「予約しない」が表示される。
【００３６】
ステップＳ２３において、リモコン３の操作ボタン３０９〜３１３を操作して、「録画」を選択し、録画予約することを決定するとステップＳ２４に進む。ステップＳ２４において、予約番組開始時に通常の予約録画をし、録画が終了するとステップＳ３１に進み終了となる。
【００３７】
ステップＳ２３において、リモコン３の操作ボタン３０９〜３１３を操作して「予約しない」を選択して、予約をしないことを決定した場合には、ステップＳ３１に進み終了する。
【００３８】
ステップＳ２３において、リモコン３の操作ボタン３０９〜３１３を操作して「視聴」を選択し、目的の番組を視聴予約することを決定すると、ステップＳ２５に進む。ステップＳ２５では再生内容の選択をする切替画面が表示される。これは予約した放送番組を再生するのか、ユーザの好みの映像や音声を再生するのかの選択画面である。例えば「再生する内容を選んでください」という表示とともに「予約番組放送」「お好み再生」などの選択ボタンが表示される。
【００３９】
ステップＳ２５において、もし「予約番組再生」を選択した場合には、ステップＳ２６に進み、予約番組開始時に予約した放送番組が放送される。
【００４０】
ステップＳ２５において、もし「お好み再生」を選択した場合には、ステップＳ２７に進む。ステップＳ２７では予約番組の開始時刻を記憶部３２に記憶されたＥＰＧデータから読み取り、記憶部３２に記憶する。この記憶された予約番組の開始時刻は、この記憶後に番組の開始時刻が変更になったとしても変更されることはない。したがって、番組の変更にかかわらず、予約した時点の番組開始時刻が記憶されている。この記憶された予約番組の開始時刻はモーニングコールの開始時刻として利用される。そして、時計機能部３１からの時刻データを参照して、この記憶された予約番組の開始時刻になると、記憶装置１８に記憶された映像データなどをモーニングコールとして再生することになる。
【００４１】
ステップＳ２７で予約番組の開始時刻を記憶するとステップＳ２８に進み、記憶装置１８に記憶された映像データなどを再生することになる。この場合、記憶装置１８として半導体メモリ１８−１、ＨＤＤ１８−２の複数の記憶装置を有しているとすれば、どちらの記憶装置から再生するかの選択画面が表示される。例えば「再生する記憶装置を選んでください」という表示とともに「カード」「ＨＤＤ」などの選択キーが表示される。「カード」を選択すると半導体メモリ１８−１であるメモリカードによる記憶装置が選択され、「ＨＤＤ」を選択するとＨＤＤ１８−２が選択される。勿論、記憶装置１８として１種類の記憶装置で構成されている場合にはこのステップＳ２８の工程はない。
【００４２】
上記ステップＳ２３、Ｓ２５、Ｓ２８において選択された予約情報は記憶部３２に記憶される。
【００４３】
ステップＳ２８において、もし「カード」を選択した場合にはステップ２９に進み、時計機能部３１から出力される時刻データを参照して、予約時刻になるとメモリーカード（半導体メモリ１８−１）に記憶された映像データや音声データが再生された後、ステップＳ３１に進み終了する。もし番組の開始時刻に変更があった場合でも、予約時点の番組開始時刻が記憶されているので、この場合の再生開始時刻は予約した時点で記憶したものになる。
【００４４】
ステップＳ２８において、もし「ＨＤＤ」を選択した場合にはステップ３０に進み、時計機能部３１から出力される時刻データを参照して、予約時刻になるとＨＤＤ１８−１に記憶された映像データや音声データが再生された後、ステップＳ３１に進み終了する。もし番組の開始時刻に変更があった場合でも、予約時点の番組開始時刻が記憶されているので、この場合の再生開始時刻は予約した時点で記憶したものになる。
【００４５】
以上のように、本実施の形態によれば、第１の実施の形態による効果の他に、予約番組の開始時刻が変更になってもその影響を受けないで、予約時点での番組開始時刻にモーニングコールを再生することができる効果がある。
【産業上の利用可能性】
【００４６】
本発明は、ＥＰＧを利用した予約機能を有する受信装置や、Ｇコードを利用した予約機能を有する受信装置に広く利用できる。
【図面の簡単な説明】
【００４７】
【図１】本発明による第１の実施の形態のテレビジョン受像装置の構成図である。
【図２】本発明の実施の形態のテレビジョン受像装置を操作するリモコンを示す図である。
【図３】本発明による第１の実施の形態の動作フローチャートである。
【図４】本発明による第２の実施の形態のテレビジョン受像装置の構成図である。
【図５】本発明による第２の実施の形態の動作フローチャートである。
【符号の説明】
【００４８】
１・・・アンテナ
２、３０・・・テレビジョン受像装置
３・・・リモートコントローラ（リモコン）
４・・・外部機器
１０・・・地上波デジタル放送用チューナー
１１・・・ＢＳデジタル放送用チューナー
１２・・・ＣＳデジタル放送用チューナー
１３・・・替えスイッチ
１４・・・デジタル放送デコーダー
１５、３２・・・記憶部
１６・・・ＩＰ変換／ＲＧＢプロセッサ
１７・・・表示装置
１８・・・記憶装置
１９・・・リモコン受信部
２０・・・マイクロコンピュータ（マイコン）
３１・・・時計機能部
【図１】
2006246371.tif 000003
【図２】
2006246371.tif 000004
【図３】
2006246371.tif 000005
【図４】
2006246371.tif 000006
【図５】
2006246371.tif 000007